(57)【要約】  【課題】  液晶のバックライトとして使用するランプと、ランプを配置するためのホルダーとが、それぞれ別個の部材として組立工場などに搬入されていたため、これらの部材の梱包材についてのコストを削減できなかった。また、液晶テレビの組立工程では手作業などでランプを配置するために、迅速な組立処理を行うことができなかった。  【解決手段】  ランプ保持のための枠状体であるランプ保持枠と、前記ランプ保持枠の一辺から対向辺にブリッジ状に配置して保持される複数の管状ランプと、を備えた薄型ディスプレイパネル用ランプ保持構造体を提供することで、梱包材の部材費を削減でき、かつ、自動機による自動組立を実現できる。【選択図】            図１
2006351483.tif 000002
【特許請求の範囲】
【請求項１】
ランプ保持のための枠状体であるランプ保持枠と、
前記ランプ保持枠の一辺から対向辺にブリッジ状に配置して保持される複数の管状ランプと、
を備えた薄型ディスプレイパネル用ランプ保持構造体。
【請求項２】
ランプ保持枠は、液晶基板の外縁にそって配置される枠状体である固定ホルダーの枠に重ねて自身を固定するために用いられる段差部を有する請求項１に記載の薄型ディスプレイパネル用ランプ保持構造体。
【請求項３】
ランプ保持枠は、その液晶基板配置側に、前記固定ホルダーの枠内に配置される光学シートを位置規制するための枠面である液晶基板側押さえ面を有する請求項１又は２に記載の薄型ディスプレイパネル用ランプ保持構造体。
【請求項４】
前記液晶基板に代えて液晶基板と同等の機能を有する薄型ディスプレイ構体を利用する請求項２又は３に記載の薄型ディスプレイ用ランプ保持構造体。
【請求項５】
前記管状ランプは、コの字形状であり、配置される管状ランプの端部は、すべて前記ランプ保持枠のいずれか一辺に配置されている請求項１から４のいずれか一に記載の薄型ディスプレイパネル用ランプ保持構造体。
【請求項６】
ランプ保持枠は、枠本体部分から液晶基板配置側と反対側に突出した管状ランプを保持するための保持部を有する請求項１から５のいずれか一に記載の薄型ディスプレイパネル用ランプ保持構造体。
【請求項７】
前記管状ランプは、前記管状ランプのブリッジ部分略中央部に裏蓋側部材との熱絶縁のための熱絶縁部を有する請求項１から６のいずれか一に記載の薄型ディスプレイ用ランプ保持構造体。
【請求項８】
請求項１から７のいずれか一に記載の薄型ディスプレイ用ランプ保持構造体と、固定ホルダーと、液晶基板と、を有する薄型ディスプレイパネル構体。
【請求項９】
薄型ディスプレイパネル構体の製造方法であって、
表示面側を略下側に向けて液晶基板を配置する液晶基板配置工程と、
液晶基板配置工程にて液晶基板が配置された後に、必要な部材がある場合には、その必要な部材を配置し、さらに固定ホルダーを配置する固定ホルダー配置工程と、
固定ホルダー配置工程にて固定ホルダーが配置された後に必要な部材がある場合には、その必要な部材を配置し、さらに、ランプ保持のための枠状体であるランプ保持枠と、前記ランプ保持枠の一辺から対向辺にブリッジ状に配置して保持される複数の管状ランプと、を備えた薄型ディスプレイパネル用ランプ保持構造体を配置する工程と、
を含む薄型ディスプレイパネル構体の製造方法。
【請求項１０】
前記薄型ディスプレイパネル用ランプ保持構造体を配置する工程にて配置される前記薄型ディスプレイパネル用ランプ保持構造体のランプ保持枠は、液晶基板の外縁にそって配置される枠状体である固定ホルダーの枠に重ねて自身を固定するために用いられる段差部を有する請求項９に記載の薄型ディスプレイパネル構体の製造方法。
【請求項１１】
前記薄型ディスプレイパネル用ランプ保持構造体を配置する工程にて事前に配置すべき必要な部材とは、光学シートであり、
前記薄型ディスプレイパネル用ランプ保持構造体を配置する工程にて配置される前記薄型ディスプレイパネル用ランプ保持構造体のランプ保持枠は、その液晶基板配置側に、前記固定ホルダーの枠内に配置される光学シートを位置規制するための枠面である液晶基板側押さえ面を有する請求項９又は１０に記載の薄型ディスプレイパネル構体の製造方法。
【発明の詳細な説明】
【技術分野】
【０００１】
本発明は、薄型ディスプレイパネル用ランプ保持構造体に関する。さらに詳しくは、薄型ディスプレイパネル用ランプ保持構造体及び薄型ディスプレイパネル構体に関する。
【背景技術】
【０００２】
近年、液晶テレビなどの薄型ディスプレイパネル構体の生産が活発に行われている。液晶テレビに組立工程は、図１４に示すように、液晶パネルの組立工程、バックライトの組立工程、そしてこれらをキャビネットに取り付ける取り付け工程などを経て行われる。このように液晶テレビなどの生産には、補強用部材を含め多数の部材が必要であり、また、各部材ごとの組立工程が必要となるため、如何に製造コストを削減するかが大きな問題となっている。
【０００３】
そこで、製造コストを削減する方法として、特許文献１には、フロントキャビネットとリアキャビネットとの間に反射板を挟持し、それぞれに設けられた円筒状の係合手段を介して位置決めをして主基板及び液晶パネルとともに一体にネジ結合することにより、部品点数の削減と組立作業性の向上を図ることのできる液晶テレビの組立構造についての発明が開示されている。また、特許文献２には、凹部の側壁を有している偏光板を当該側壁に結合するように突出したキャビネットに収納することで、組立性を向上させる発明が開示されている。
【特許文献１】特開平５−１０３２８４号公報
【特許文献２】特開２００３−３４６５３６号公報
【発明の開示】
【発明が解決しようとする課題】
【０００４】
しかしながら、従来技術のように、単にフロントキャビネットとリアキャビネットとを円筒状の係合手段を利用してネジで結合したり、あるいは偏光板を加工したりするだけでは、十分なコスト削減の効果が得られないという課題がある。即ち、バックライトとして使用するランプと、ランプを配置するために必要となるホルダーとが、それぞれ別個の部材として組立工場などに搬入されていたため、これらの部材を梱包するための梱包材のコストを削減することができないという課題がある。また、組立工程を行う場合に手作業などでランプを配置するために、当該作業がボトルネックとなってしまい、迅速な組立処理を行うことができないという課題がある。
【０００５】
そこで、本発明は、かかる課題に鑑みてなされたものであり、バックライトとして使用するランプの梱包材を削減し、かつ、組立作業の単純化を可能にすることで、作業工数及び部材コストを削減して生産することが可能な薄型ディスプレイパネル構体及び薄型ディスプレイパネル用ランプ保持構造体を提供することを目的とする。
【課題を解決するための手段】
【０００６】
そこで、本発明においては、かかる課題を解決するために、ランプ保持のための枠状体であるランプ保持枠と、ランプ保持枠の一辺から対向辺にブリッジ状に配置して保持される複数の管状ランプと、を備えた薄型ディスプレイパネル用ランプ保持構造体を提供する。ランプ保持枠は、液晶基板の外縁にそって配置される枠状体である固定ホルダーの枠に重ねて自身を固定するために用いられる段差部を有していてもよい。また、ランプ保持枠は、その液晶基板配置側に、前記固定ホルダーの枠内に配置される光学シートを位置規制するための枠面である液晶基板側押さえ面を有していてもよい。また、前記液晶基板に代えて液晶基板と同等の機能を有する薄型ディスプレイ構体を利用してもよい。また、前記管状ランプは、コの字形状であり、配置される管状ランプの端部は、すべて前記ランプ保持枠のいずれか一辺に配置されていてもよい。また、ランプ保持枠は、枠本体部分から液晶基板配置側と反対側に突出した管状ランプを保持するための保持部を有していてもよい。また、前記管状ランプは、前記管状ランプのブリッジ部分略中央部に裏蓋側部材との熱絶縁のための熱絶縁部を有していてもよい。また、他の発明として、これらの薄型ディスプレイ用ランプ保持構造体と、固定ホルダーと、液晶基板と、を有する薄型ディスプレイパネル構体を提供する。
【０００７】
また、他の発明として、薄型ディスプレイパネル構体の製造方法であって、表示面側を略下側に向けて液晶基板を配置する液晶基板配置工程と、液晶基板が配置された後に、必要な部材がある場合には、その必要な部材を配置し、さらに固定ホルダーを配置する固定ホルダー配置工程と、固定ホルダーが配置された後に必要な部材がある場合には、その必要な部材を配置し、さらに、ランプ保持のための枠状体であるランプ保持枠と、前記ランプ保持枠の一辺から対向辺にブリッジ状に配置して保持される複数の管状ランプと、を備えた薄型ディスプレイパネル用ランプ保持構造体を配置する工程と、を含む薄型ディスプレイパネル構体の製造方法を提供する。
【発明の効果】
【０００８】
本発明は、ランプ保持のための枠状体であるランプ保持枠を備えた薄型ディスプレイパネル用ランプ保持構造体を提供することにより、薄型ディスプレイパネル構体の組立工場などにランプを搬入する際の梱包材が不要となるため、部材費を削減することができる。また、ランプ保持枠を備えていることにより、自動機などによって積み重ねを行うことで、薄型ディスプレイパネル構体を製造することができ、作業工数の削減を実現することができる。
【発明を実施するための最良の形態】
【０００９】
以下に、各発明の実施の形態を説明する。なお、本発明はこれら実施の形態に何ら限定されるものではなく、その要旨を逸脱しない範囲において、種々なる態様で実施しうる。
【００１０】
なお、以下の実施形態と請求項の関係は次の通りである。実施形態１は、主に請求項１などについて説明する。実施形態２は、主に請求項２などについて説明する。実施形態３は、主に請求項３、４などについて説明する。実施形態４は、主に請求項５などについて説明する。実施形態５は、主に請求項６などについて説明する。実施形態６は、主に請求項７などについて説明する。実施形態７は、主に請求項８などについて説明する。実施形態８は、主に請求項９、１０、１１などについて説明する。
【００１１】
<<実施形態１>>
<実施形態１の概要>
本実施形態は、ランプ保持のための枠状体であるランプ保持枠を備えた薄型ディスプレイパネル用ランプ構造体に関するものである。ランプ保持枠を備えていることにより、組立工場などへのランプ搬入の際に梱包材が不要となり、コスト削減ができる。また、ランプと、ランプ保持枠とを一体化したことにより、上から積み重ねることでランプ部材を薄型ディスプレイパネル構体に組み込むことができるため、組立工程における自動化を実現することができる。
【００１２】
<実施形態１の構成>
図１は、本実施形態における薄型ディスプレイパネル用ランプ保持構造体の一例を示す斜視図である。図１に示す「薄型ディスプレイパネル用ランプ保持構造体」は、「ランプ保持枠」（０１０１）と、複数の「管状ランプ」（０１０２、０１０３、０１０４、０１０５、０１０６）と、を備えたものである。
【００１３】
<実施形態１の構成の説明>
「ランプ保持枠」（０１０１）は、ランプ保持のための枠状体である。「ランプ」の一例は、蛍光ランプが挙げられる。薄型ディスプレイパネルが液晶パネルである場合には、液晶自身は非発光の物質であるため、ランプなどの発光手段が必要になる。ランプ保持枠（０１０１）は、このようなランプなどの発光手段を保持するために用いるものである。「枠状体」とは、四辺によって取り囲まれる構造体のことである。また、「枠状」体であるため、必ずしも四辺が同じ形状である必要はない。例えば、ランプ保持枠（０１０１）は、後述する段差部や、保持部などを有していてもよく、「枠状」の形態を有しているものであれば、他の形態を含んでいてもよい。
【００１４】
複数の「管状ランプ」（０１０２、０１０３、０１０４、０１０５、０１０６）は、前記ランプ保持枠（０１０１）の一辺から対向辺にブリッジ状に配置して保持されるものである。「一辺」とは、ランプ保持枠（０１０１）のいずれの辺であってもよい。「ブリッジ状に配置」とは、一辺から他の辺に渡って配置することを示す。管状ランプをブリッジ状に配置することで、管状ランプを一定の状態で固定して保持することが可能となるため、管状ランプと、ランプ保持枠と、を一体化した一のランプ部材（ランプ保持構造体）として扱うことができる。このため、ランプを梱包するための梱包材が不要となるため、部材コストを削減することができる。また、管状ランプとランプ保持枠とを一体化した一のランプ部材として扱うことができるため、上から積み重ねるだけでランプ部材を薄型ディスプレイパネル構体に組み込むことができる。これらの詳細については後の実施形態のところで説明する。
【００１５】
なお、図１の例では、全ての管状ランプがランプ保持枠の一辺に電極となる端部を集約するためにコの字の形状となっているが、これに限られるものではない。例えば、図２で示すように、管状ランプはランプ保持枠の一辺から対向辺にブリッジ状に配置して保持されるものであれば、どのような管状ランプであってもよい。図２は、薄型ディスプレイパネル用ランプ保持構造体の一例を示す背面図である。図２の例においては、管状ランプＡ（０２０１）と、管状ランプＢ（０２０２）とは、それぞれ異なる辺から対向辺にブリッジ状に配置されている例であるが、このように、「一辺」とは、管状ランプに応じて異なる辺を示していてもよい。また、管状ランプＡ（０２０１）と、管状ランプＢ（０２０２）とは、それぞれ一辺に電極用の端部Ｄ（０２０５）が配置される形状となっているが、これに限られることはない。例えば、管状ランプＣ（０２０３）のように、電極用の端部Ｅ（０２０６）が「一辺」と「対向辺」とに分かれていてもよい。また、図２のように、複数の管状ランプがそれぞれ異なる形態を有していてもよい。なお、図１の例では、管状ランプを５本配置している例を基に説明を行い、図２の例では、管状ランプを６本配置している例を基に説明を行ったが、「複数の」管状ランプは、かかる例に限られることはない。例えば、管状ランプを単数配置している場合であっても、ここでいう「複数の管状ランプ」を配置しているとしてもよい。
【００１６】
「薄型ディスプレイパネル用ランプ保持構造体」とは、このようにランプ保持枠と、管状ランプとを備えた構造体のことである。「薄型ディスプレイパネル」とは、例えば液晶パネルが挙げられる。液晶パネルとは、配向膜や液晶からなる液晶層や、ＴＦＴ（ｔｈｉｎ  ｆｉｌｍ  ｔｒａｎｓｉｓｔｏｒ）ディスプレイ駆動回路や、ガラス基板などから構成されるものである。薄型ディスプレイパネルを利用して、後の実施形態で説明する薄型ディスプレイパネル構体が構成される。
【００１７】
図３は、薄型ディスプレイパネル構体の一例を示す斜視図である。図３で示すように、薄型ディスプレイパネル構体は、フロントキャビネット体（０３０１）や、シールド枠（０３０２）や、液晶基板（０３０３）や、固定ホルダー（０３０４）や、光学シート（０３０５）や、本実施形態の薄型ディスプレイパネル用ランプ保持構造体（０３０６）や、バックライトシールド（０３０７）などから構成されていてもよい。これらについては、後の実施形態で説明する。
【００１８】
<実施形態１の効果>
本実施形態の薄型ディスプレイパネル用ランプ保持構造体は、ランプ保持のための枠状体であるランプ保持枠を備えていることにより、組立工場などへのランプ搬入の際に梱包材が不要となり、コスト削減ができる。また、ランプと、ランプ保持枠とを一体化したことにより、上から積み重ねることでランプ部材を薄型ディスプレイパネル構体に組み込むことができるため、組立工程の自動化を実現することができる。
【００１９】
<<実施形態２>>
<実施形態２の概要>
本実施形態は、ランプ保持枠が段差部を有していることを特徴とする薄型ディスプレイパネル用ランプ保持構造体に関するものである。段差部を有していることにより、位置決めを容易に行うことができるため、自動機などで積み重ねを行うだけで薄型ディスプレイパネル構体の組立作業を行うことができる。
【００２０】
<実施形態２の構成>
本実施形態における「薄型ディスプレイパネル用ランプ保持構造体」は、「ランプ保持枠」と、複数の「管状ランプ」と、を備えたものである。「ランプ保持部」は、「段差部」を有する。「段差部」を除く各構成については実施形態１で説明したものと同様であるため、ここでの説明は省略する。
【００２１】
<実施形態２の構成の説明>
「段差部」は、液晶基板の外縁にそって配置される枠状体である固定ホルダーの枠に重ねて自身を固定するために用いられる。「液晶基板」とは、既に説明した液晶パネルのことである。「固定ホルダー」とは、液晶基板を他の部材と挟持するために使用されるものであってもよいし、あるいは、光学シートを配置するために使用されるものであってもよい。また、液晶基板は、ベゼルと呼ばれる従来液晶パネルの外周に取り付けられている額縁フレームを排除した、ベゼルレス液晶基板であってもよい。また、「自身」とは、薄型ディスプレイパネル用ランプ保持構造体のことである。
【００２２】
図４は、本実施形態の薄型ディスプレイパネル用ランプ保持構造体を含む斜視図である。図４を用いて各部材の配置関係について説明を行う。図４の枠状体である固定ホルダー（０４０２）は、液晶基板（０４０１）の外縁にそって配置される。図４で示すように、固定ホルダー（０４０２）は、液晶基板（０４０１）に対してネジなどの止め具を用いて接合するものではなく、他の部材などからの外力などを利用して液晶基板を挟持するものである。また、薄型ディスプレイパネル用ランプ保持構造体（０４０３）に備えられたランプ保持枠（０４０４）は、固定ホルダー（０４０２）の枠に重ねて自身を固定するために用いられる段差部（０４０５）を有する。段差部（０４０５）は、図４の例では黒塗りで示す領域（０４０５）に相当する。
【００２３】
図５は、段差部と固定ホルダーとの関係を説明するための部分断面図である。図５（ａ）で示すＡ−Ａ´面の断面を図５（ｂ）に示す。図５（ｂ）で示すように、固定ホルダー（０５０１）の枠にランプ保持枠（０５０２）を重ねる場合に、ランプ保持枠（０５０２）が段差部（０５０３）を有していることにより、薄型ディスプレイパネル用ランプ保持構造体を固定することができる。このように、段差部を有していることで、薄型ディスプレイパネル構体を製造する場合において、薄型ディスプレイパネル用ランプ保持構造体の位置規制を容易に行うことができる。
【００２４】
<実施形態２の効果>
本実施形態は、ランプ保持枠が段差部を有していることにより、薄型ディスプレイパネル構体を製造する際に、薄型ディスプレイパネル用ランプ保持構造体の位置規制を容易に行うことができる。このため、破損しやすいランプを組立てる場合であっても、自動機などを用いて積み重ねで薄型ディスプレイパネル構体を製造することが可能となるため、作業工数を大幅に削減することができる。
【００２５】
<<実施形態３>>
<実施形態３の概要>
本実施形態は、ランプ保持枠が、固定ホルダーの枠内に配置される光学シートを位置規制するための枠面を有することを特徴とする薄型ディスプレイ用ランプ保持構造体に関するものである。光学シートを枠形状の四辺の面を用いて押さえることで、輝度ムラの発生を防止することができる。
【００２６】
<実施形態３の構成>
本実施形態における「薄型ディスプレイパネル用ランプ保持構造体」は、「ランプ保持枠」と、複数の「管状ランプ」と、を備えたものである。「ランプ保持枠」は、「液晶基板側押さえ面」を有する。「液晶基板側押さえ面」を除く各構成については実施形態１又は２で説明したものと同様であるため、ここでの説明は省略する。
【００２７】
<実施形態３の構成の説明>
「液晶基板側押さえ面」とは、前記固定ホルダーの枠内に配置される光学シートを位置規制するための枠面であり、ランプ保持枠がその液晶基板配置側に有しているものである。「光学シート」とは、光を散乱・拡散させる半透明な拡散シートであってもよいし、前方への集光効果を持たせたプリズムシートであってもよい。これらのシートはフィルム状のものであってもよいし、板状のものであってもよい。また、固定ホルダーの枠内に配置される光学シートは、単一でなくてもよく、複数の光学シートが収納されてもよい。図６及び図７を用いて説明する。
【００２８】
図６は、本実施形態における薄型ディスプレイパネル用ランプ保持構造体の一例を含む斜視図である。図６の黒塗りで示す領域のように、液晶基板側押さえ面（０６０５）は、ランプ保持枠が液晶基板配置側に有しているものである。図７は、本実施形態の薄型ディスプレイパネル用ランプ保持構造体の一例を含む部分断面図である。図７（ａ）で示すＢ−Ｂ´面の断面を図７（ｂ）に示す。図７（ｂ）で示すように、固定ホルダー（０７０１）の枠内に光学シート（０７０５）が配置されている。そして、ランプ保持枠（０７０２）の液晶基板側押さえ面（０７０４）が光学シート（０７０５）を上から押さえつけることによって、光学シート（０７０５）の位置規制を行っている。また、ランプ保持枠は枠状体の形状であるため、ランプ保持枠が有している液晶基板側押さえ面が光学シートの四辺を隈なく押さえることができる。これにより、光学シートを均一に押さえることができるため、輝度ムラが発生することを防ぐことができる。また、固定ホルダーの枠内に光学シートを配置し、その上から本実施形態の薄型ディスプレイパネル用ランプ保持構造体を配置することで、光学シートの位置規制を行うことも可能となるため、自動機で積み重ねることによって、これらの部材の組立を行うことができる。さらには他の部材も積み重ねで組立を行うことが可能である場合には、結果として、薄型ディスプレイパネル構体をも自動機などで製造することが可能となる。なお、液晶基板側押さえ面は、光学シートを均等に押さえられることが好ましいため、均一な面であることが望ましい。また、固定ホルダーの枠内に配置されやすいように、単純形状化した光学シートを利用してもよい。
【００２９】
なお、前記液晶基板に代えて液晶基板と同等の機能を有する薄型ディスプレイ構体を利用してもよい。「液晶基板と同等の機能」とは、ランプなどの外光を利用してディスプレイ表示を行うことができる機能である。ランプを利用する薄型ディスプレイ構体の場合には、本実施形態の薄型ディスプレイパネル用ランプ保持構造体を利用することで、コストの削減などを実現することができる。
【００３０】
<実施形態３の効果>
本実施形態は、ランプ保持枠が固定ホルダーの枠内に配置される光学シートを位置規制するための枠面を有していることにより、薄型ディスプレイパネル用ランプ保持構造体を、光学シートが収納された固定ホルダーに積み重ねるだけで、本部分に関する薄型ディスプレイパネル構体の組立工程を完結することができる。従って、自動機などで積み重ねを行うことで、作業工程を削減することができる。また、光学シートを四辺から押さえこむことが可能であるため、輝度ムラが生じることを防ぐことができる。
【００３１】
<<実施形態４>>
<実施形態４の概要>
本実施形態は、管状ランプがコの字形状であり、全ての管状ランプの端部がランプ保持枠のいずれか一辺に配置されていることを特徴とする薄型ディスプレイパネル用ランプ保持構造体に関するものである。
【００３２】
<実施形態４の構成>
本実施形態における「薄型ディスプレイパネル用ランプ保持構造体」は、実施形態１から３のいずれかで説明したものと同様の構成である。
【００３３】
<実施形態４の構成の説明及び効果>
図８は、本実施形態における薄型ディスプレイパネル用ランプ保持構造体の一例を示す背面図である。本実施形態における管状ランプ（０８０２）は、コの字形状であり、配置される管状ランプ（０８０２）の端部（０８０３）は、すべて前記ランプ保持枠のいずれか一辺に配置されている。図８に示すように「コの字形状」とは、例えば端部が同一辺に配置され、対向辺にて折り返しを行っている形状のことをいう。図８の例では、管状ランプの端部（０８０３）は全てランプ保持枠の一辺に配置されている。このように、管状ランプの端部全てがランプ保持枠のいずれか一辺に配置されることにより、ランプを発光するための電極の端子を集約することができるため、より薄型のディスプレイパネルを構成することができる。
【００３４】
<<実施形態５>>
<実施形態５の概要>
本実施形態は、ランプ保持枠が管状ランプを保持するための保持部を有することを特徴とする薄型ディスプレイパネル用ランプ保持構造体に関するものである。保持部を有することで、液晶基板とランプとの距離を一定に保つことができるため、ランプの熱によるひずみを解消することができる。
【００３５】
<実施形態５の構成>
本実施形態における「薄型ディスプレイパネル用ランプ保持構造体」は、「ランプ保持枠」と、複数の「管状ランプ」と、を備えたものである。「ランプ保持枠」は、「保持部」を有する。「保持部」を除いた各構成については実施形態１から４で説明したものと同様であるため、ここでの説明は省略する。
【００３６】
<実施形態５の構成の説明>
「保持部」は、枠本体部分から液晶基板配置側と反対側に突出した管状ランプを保持するためのものである。「液晶基板配置側と反対側」とは、例えば図３の例で説明すると、バックライトシールド（０３０７）側のことである。図９に保持部の一例を示す。図９は、本実施形態の薄型ディスプレイパネル用ランプ保持構造体の一例を示す斜視図である。図９の保持部（０９０３）は、実施形態４で説明したコの字形状の管状ランプ（０９０２）を保持している。図９で示すように、保持部（０９０３）が液晶基板配置側と反対側に突出しているために、管状ランプ（０９０２）と、図外の液晶基板との距離を適度に保つことができる。このため、熱膨張などによって液晶基板にひずみが生じることを防ぐことができる。また、図１０（ａ）で示すように、保持部と同様に液晶基板配置側と反対側に突出した部分（１００３）を設け、薄型ディスプレイパネル用ランプ保持構造体（１００１）に、当該突出部分（１００３）と接合する部分（１００４）を設けた場合には、図１０（ｂ）で示すように薄型ディスプレイパネル用ランプ保持構造体（１００１）を積み重ねて収納することができるため、効率よく運搬することができ、コストの削減が期待できる。
【００３７】
<実施形態５の効果>
本実施形態は、管状ランプを保持するための保持部を有することにより、液晶基板との距離を適度に保つことができるため、熱膨張などのひずみを防ぐことができる。また、薄型ディスプレイパネル用ランプ保持構造体を効率よく運搬することができ、コストを削減することができる。
【００３８】
<<実施形態６>>
<実施形態６の概要>
本実施形態は、管状ランプが熱絶縁部を有することを特徴とする薄型ディスプレイパネル用ランプ保持構造体に関するものである。熱絶縁部を有することにより、裏蓋側の部材に対して熱を伝導することを防止することができる。
【００３９】
<実施形態６の構成>
本実施形態における「薄型ディスプレイパネル用ランプ保持構造体」は、「ランプ保持枠」と、複数の「管状ランプ」と、を備えたものである。「管状ランプ」は、「熱絶縁部」を有する。「熱絶縁部」を除く各構成については実施形態１から５のいずれかで説明したものと同様であるため、ここでの説明は省略する。
【００４０】
<実施形態６の構成の説明>
図１１は、本実施形態における薄型ディスプレイパネル用ランプ保持構造体の一例を含む斜視図である。「熱絶縁部」（１１０３）は、裏蓋側部材との熱絶縁のためのものであり、前記管状ランプ（１１０２）のブリッジ部分略中央部に有するものである。図１１の例では、熱絶縁部（１１０３）は、裏蓋側部材の一例であるバックライトシールド（１１０４）との熱絶縁をするためのものである。「裏蓋側部材」とは、裏蓋側の部材であればいずれの部材をも含むものである。例えば、裏蓋側部材は、ランプの光を反射するための反射シートであってもよいし、あるいは、図１１に示すように、反射シートの役割を一体化した裏蓋であるバックライトシールドであってもよい。また、熱絶縁部（１１０３）は、管状ランプ（１１０２）のブリッジ部分略中央部に有するものである。「略中央部」とは、おおよそ中央の部分のことである。熱絶縁部をブリッジ部分の略中央に有していることにより、裏蓋側部材への熱伝導を抑制することができる。図１２は、本実施形態の熱絶縁部を含む部分断面図の一例である。図１２に示すように熱絶縁部（１２０２）が、管状ランプ（１２０１）と、裏蓋側部材（１２０３）との間に配置されることで、裏蓋側部材（１２０３）に対して熱を伝導せずに済む。
【００４１】
<実施形態６の効果>
本実施形態は、熱絶縁のための熱絶縁部を管状ランプが有していることにより、ランプの熱を裏蓋側部材に対して伝導せずに済む。このため、裏蓋側部材に反射材などの特殊な加工を施している場合などであっても、ランプの熱によるひずみを防ぐことができる。
【００４２】
<<実施形態７>>
<実施形態７の概要>
本実施形態は、実施形態１から６のいずれかで説明した薄型ディスプレイパネル用ランプ保持構造体を有する薄型ディスプレイパネル構体に関するものである。
【００４３】
<実施形態７の構成>
本実施形態の「薄型ディスプレイパネル構体」は、「薄型ディスプレイ用ランプ保持構造体」と、「固定ホルダー」と、「液晶基板」と、を有する。薄型ディスプレイ用ランプ保持構造体については、実施形態１から６のいずれかで説明したものと同様であるため、ここでの説明は省略する。
【００４４】
<実施形態７の構成の説明>
図３の例を再び用いて説明する。「固定ホルダー」（０３０４）とは、実施形態２で説明したように、液晶基板（０３０３）の外縁にそって配置される枠状体のものが挙げられる。固定ホルダー（０３０４）は、光学シート（０３０５）を配置する領域を有していてもよく、実施形態３で説明したように、薄型ディスプレイパネル用ランプ保持構造体（０３０６）のランプ保持枠が有する液晶基板側押さえ面によって光学シート（０３０５）を位置規制してもよい。このように薄型ディスプレイパネル用ランプ保持構造体（０３０６）は、自身や他の部材を位置規制するための工夫が施されているために、自動機などによる積み重ね工程によって薄型ディスプレイ構体を生産することができるようになり、組立工数のコストを削減することができる。また、例えば液晶基板（０３０３）が実施形態２のところで説明したようなベゼルレス液晶基板である場合には、ベゼルを取り付けるための液晶パネルの組立工程が不要になり自動機などによる積み重ね工程を行うことで薄型ディスプレイパネル構体の生産ができる。このため、ベゼルレス液晶基板と、薄型ディスプレイパネル用ランプ保持構造体を利用することによって、より一層自動機などによる積み重ね工程によって薄型ディスプレイパネル構体を生産することが可能となるため、大幅なコスト削減効果が期待できる。
【００４５】
<実施形態７の効果>
本実施形態は、実施形態１から６のいずれかで説明した薄型ディスプレイ用ランプ保持構造体と、固定ホルダーと、液晶基板と、を有しているために、自動機などで積み重ねるだけで組立工程を完結することができる薄型ディスプレイパネル構体を提供することができるため、大幅なコスト削減効果が期待できる。
【００４６】
<<実施形態８>>
<実施形態８の概要>
本実施形態は、薄型ディスプレイパネル構体の製造方法に関するものである。実施形態１から７で説明したように薄型ディスプレイ用ランプ保持構造体は、自動機などによって積み重ねることで組立を可能にした構成を有しているために、本実施形態のように上から部材を積み重ねていくだけで、薄型ディスプレイパネル構体の製造が可能となる。
【００４７】
<実施形態８の構成>
図１３に本実施形態における薄型ディスプレイパネル構体の製造方法の処理の流れの一例を示す。図１３に示すように、本実施形態の薄型ディスプレイパネル構体の製造方法は、「液晶基板配置工程」（Ｓ１３０１）と、「固定ホルダー配置工程」（Ｓ１３０２）と、「薄型ディスプレイパネル用ランプ保持構造体を配置する工程」（Ｓ１３０３）と、を含む。液晶基板や、固定ホルダーや、薄型ディスプレイパネル用ランプ保持構造体については実施形態１から７で説明したものと同様であるため、ここでの説明は省略する。
【００４８】
<実施形態８の構成の説明>
「液晶基板配置工程」（Ｓ１３０１）は、表示面側を略下側に向けて液晶基板を配置する。「表示面側」とは、例えば液晶基板を駆動するためのドライバ回路が配置されている面と反対の面のことである。「略下側に向けて」とは、表示面側を真下に向けてもよいし、必ずしも真下ではなく、ほぼ下側に向けていればよいことを意味する。なお、液晶基板配置工程（Ｓ１３０１）を行う前に、例えばフロントキャビネット体を配置する工程を含めてもよいし、フロントキャビネット体にシールド枠を配置する工程を含めてもよい。さらにはシールド枠を配置する工程においてモルトやスペーサと呼ばれる位置規制部材を配置してもよい。
【００４９】
「固定ホルダー配置工程」（Ｓ１３０２）は、液晶基板配置工程（Ｓ１３０１）にて液晶基板が配置された後に、必要な部材がある場合には、その必要な部材を配置し、さらに固定ホルダーを配置する。「必要な部材」とは、例えば液晶基板を駆動するためのドライバ基板が挙げられる。また、ドライバ基板は、例えばフロントキャビネット体に配置されてもよい。このようにドライバ基板を配置した後に固定ホルダーを配置することで、ドライバ基板の位置固定が実現できる。
【００５０】
「薄型ディスプレイパネル用ランプ保持構造体を配置する工程」（Ｓ１３０３）は、固定ホルダー配置工程（Ｓ１３０２）にて固定ホルダーが配置された後に必要な部材がある場合には、その必要な部材を配置し、さらに、ランプ保持のための枠状体であるランプ保持枠と、前記ランプ保持枠の一辺から対向辺にブリッジ状に配置して保持される複数の管状ランプと、を備えた薄型ディスプレイパネル用ランプ保持構造体を配置する。薄型ディスプレイパネル用ランプ保持構造体を配置する工程（Ｓ１３０３）にて事前に配置すべき「必要な部材」とは、光学シートであり、薄型ディスプレイパネル用ランプ保持構造体を配置する工程（Ｓ１３０３）にて配置される前記薄型ディスプレイパネル用ランプ保持構造体のランプ保持枠は、その液晶基板配置側に、前記固定ホルダーの枠内に配置される光学シートを位置規制するための枠面である液晶基板側押さえ面を有してもよい。固定ホルダーを配置することによって、光学シートの収納領域ができるため、当該固定ホルダーの枠内に光学シートを配置することで、光学シートのＸＹ面内の位置決めができる。そして、光学シートが配置された固定ホルダーに、さらに薄型ディスプレイパネル用ランプ保持構造体を配置することで、光学シートのＺ方向の位置決めができる。また、薄型ディスプレイパネル用ランプ保持構造体のランプ保持枠が液晶基板側押さえ面を有している場合には、光学シートを四辺の枠を用いて均等に押さえることができるため、光学シートにひずみが生じなくなり、輝度ムラを防ぐことができる。薄型ディスプレイパネル用ランプ保持構造体を配置する工程（Ｓ１３０３）にて配置される薄型ディスプレイパネル用ランプ保持構造体のランプ保持枠は、液晶基板の外縁にそって配置される枠状体である固定ホルダーの枠に重ねて自身を固定するために用いられる段差部を有してもよい。段差部を有していることにより、組立時の位置決めを容易に行うことができる。なお、薄型ディスプレイパネル用ランプ保持構造体を配置する工程（Ｓ１３０３）を行った後には、例えば反射シートを配置する工程や、あるいは反射シートを配置する工程に代えて、光反射材を裏面に塗布したバックライトシールドを配置する工程を行ってもよい。また、バックライトシールドを配置した後に、フロントキャビネット体と、バックライトシールドとを係合する工程を行ってもよい。
【００５１】
<実施形態８の効果>
本実施形態の薄型ディスプレイパネル構体の製造方法によれば、各部材の上から自動機などで順に積み重ねを行っていくだけで、薄型ディスプレイパネル構体の組立工程を実行することができるため、従来の部材ごとに組立工程を行っていた場合に比べて、補強用部材のコストを削減できるとともに、組立工程の作業工数を削減することができるため、大幅なコスト削減効果が期待できる。
【図面の簡単な説明】
【００５２】
【図１】実施形態１の構成の一例を説明するための斜視図
【図２】実施形態１の管状ランプの一例を説明するための背面図
【図３】薄型ディスプレイパネル構体の組立構造を説明するための斜視図
【図４】実施形態２の構成の一例を説明するための斜視図
【図５】実施形態２の構成の一例を説明するための部分断面図
【図６】実施形態３の構成を説明するための斜視図
【図７】実施形態３の構成を説明するための部分断面図
【図８】実施形態４の構成の一例を説明するための背面図
【図９】実施形態５の構成の一例を説明するための斜視図
【図１０】実施形態５の構成の一例を説明するための部分断面図
【図１１】実施形態６の構成の一例を説明するための斜視図
【図１２】実施形態６の構成の一例を説明するための部分断面図
【図１３】実施形態７の製造方法の流れを説明する図
【図１４】従来の液晶テレビの組立工程の一例を示す図
【符号の説明】
【００５３】
０１０１    ランプ保持枠
０１０２    管状ランプ
０３０１    フロントキャビネット体
０３０２    シールド枠
０３０３    液晶基板
０３０４    固定ホルダー
０３０５    光学シート
０３０６    薄型ディスプレイパネル用ランプ保持構造体
０３０７    バックライトシールド
【図１】
2006351483.tif 000003
【図２】
2006351483.tif 000004
【図３】
2006351483.tif 000005
【図４】
2006351483.tif 000006
【図５】
2006351483.tif 000007
【図６】
2006351483.tif 000008
【図７】
2006351483.tif 000009
【図８】
2006351483.tif 000010
【図９】
2006351483.tif 000011
【図１０】
2006351483.tif 000012
【図１１】
2006351483.tif 000013
【図１２】
2006351483.tif 000014
【図１３】
2006351483.tif 000015
【図１４】
2006351483.tif 000016